(57)【要約】      （修正有）【課題】針先が露出していることによる種々の問題点を解消すると共に、巻いたハリスの表面に傷をつけることなく、更に長期間保管してもハリスに折れ曲がる癖がつかない釣用仕掛け巻き付け具の提供。【解決手段】針先を刺入可能な軟質合成樹脂からなり、外周面部に釣りの仕掛けにおけるハリスを巻回すると共に、前面部２ａをテーパー形状で円盤状のハリス巻回体２と、硬質合成樹脂からなり、前面部３ａ中央に、前記ハリス巻回体２を接着した円板状の摘み体３とからなる。摘み体３には、ハリス巻回体２の輪郭に沿って等間隔に、夫々がハリス巻回体２の外周面に密着すると共に、先端部４ａがハリス巻回体２の前面部２ａより僅かに突出する切り起こし片４を設ける。更に、ハリスの後端を保持するハリス後端保持手段として、摘み体３における各切り起こし片４の間に設けた穴５の縁に設けた切込み６によって構成する。【選択図】図１３
2018093847.tif 000002
【特許請求の範囲】
【請求項１】
針先を刺入可能な軟質合成樹脂からなり、外周面部に釣りの仕掛けにおけるハリスを巻回するに足りる厚みを有すると共に、前面部を後面部より径大としてテーパー形状となした円盤状のハリス巻回体と、硬質合成樹脂からなり、前面部中央に、前記ハリス巻回体の後面部を接着した円板状の摘み体とからなり、前記摘み体に、前記ハリス巻回体の後面部の輪郭に沿って等間隔に、夫々が前記ハリス巻回体の外周面部に密着すると共に、先端部が前記ハリス巻回体の前面部より突出する切り起こし片を設け、更に、前記摘み体及び／又は摘み体における切り起こし片に、前記ハリス巻回体に巻回したハリスの後端を挟み込んで保持するためのハリス後端保持手段を設けてなることを特徴とする釣り用仕掛け巻き具。
【請求項２】
ハリス巻回体が、発泡ポリエチレンからなるハリス巻回体である請求項１記載の釣り用仕掛け巻き具。
【請求項３】
ハリス後端保持手段が、前記摘み体における前記各切り起こし片の間に設けた、ハリスの後端を摘み体の前面部から後面部に潜り抜けさせる穴の縁に設けた切込みである請求項１又は２記載の釣り用仕掛け巻き具。
【請求項４】
ハリス後端保持手段が、前記切り起こし片における前記ハリス巻回体の前面部よりも先端部寄り側に設けた、Ｕ字状の切込みによって形成した挟持片である請求項１又は２記載の釣り用仕掛け巻き具。
【請求項５】
ハリス後端保持手段が、前記切り起こし片における先端部に設けた切込みである請求項１又は２記載の釣り用仕掛け巻き具。
【発明の詳細な説明】
【技術分野】
【０００１】  本発明は、ハリスの先端に針を結着してなる釣り用仕掛けをそのままの状態で巻き回して保持するための釣り用仕掛け巻き具に関するものである。
【背景技術】
【０００２】  従来においても種々の釣り用仕掛け巻き具が案出され、実用に供されている。図２２には従来における釣り用仕掛け巻き具の一例を示しており、該釣り用仕掛け巻き具１００は、合成樹脂からなり、中心部に大径の穴１０２を穿設した円板１０１に、円周方向に沿って等間隔にハリス巻き掛け片１０３を切り起こし、更に、各ハリス巻き掛け片１０３間に、針を掛けるための小孔１０４を穿設してなるものである。【０００３】  そして、該釣り用仕掛け巻き具１００を用いて釣りの仕掛けを巻く場合には、先ずハリス１０５の先端に結着した針１０６を円板１０１の小孔１０４に掛け、次に、この状態において円板１０１を両手で摘まんで回しながらハリス５をハリス巻き掛け片１０３に順次掛け回し、そして、最後にハリス１０５の後端１０５´をハリス巻き掛け片１０３のいずれかにおいて、その基部に挟み込んで止めるものである。また、図において、１０５ａは枝ハリス、１０６´は枝針、１０７はハリスの後端１０５´に結着した撚り戻しである。尚、該撚り戻しに代えて輪に結ぶ場合もある。【０００４】  しかし、斯かる従来の釣り用仕掛け巻き具１００には、いくつかの問題点がある。【０００５】  先ず、第１の問題点は、小孔１０４に掛けた針１０６の針先が常に円板１０１の後面側に突出していることによるものである。この場合には仕掛けの扱い中に人や物を刺す虞があり、特に所謂かえしのある針は容易に抜けないから極めて危険である。また、針先が硬いものに接触すると、折れ曲がったり、折れたりする虞もある。また、釣り用仕掛け巻き具をいくつも重ね合わせた状態で携行すると、一方側の釣り用仕掛け巻き具に巻いた仕掛けの針が隣りの他方側の釣り用仕掛け巻き具に巻いた仕掛けに引っ掛かって、解くために余分な手間を要することもある。【０００６】  また、第２の問題点は、釣りの仕掛けが枝針の場合、即ち、先端に先針を結着したハリス本線に枝ハリスを介して枝針をつける仕掛けの場合において、枝針を固定することができず、これがブラブラしてしまうことである。即ち、図２２に示す如く、枝針１０６´を掛ける小孔は設けられていないことから、枝ハリス１０５ａの枝針１０６´に近い部分を、ハリス掛け片１０３のいずれかの基部に挟み込んで止めることになり、その結果枝針１０６´が固定されずにブラブラすることになるものである。そしてまた、この結果、上記第１の問題点と同様の問題が起こることのなるものである。【０００７】  また、第３の問題点は、ハリス１０５をハリス巻き掛け片１０３に巻き掛けるときにおいて、ハリス１０５がハリス巻き掛け片１０３の角に擦れて表面に傷がつき易いことである。即ち、ハリス巻き掛け片１０３は、相互の間隔が相当離れていることから、これに巻き掛けたハリス１０５は各ハリス巻き掛け片１０３の左右の側部の角にある程度の角度をもって接触することになり、このため巻き掛けるときにおいて強く擦れて表面に傷がつき易くなるものである。特に細いハリスは表面に傷がつくと切れやすく、この点は解決すべき大きな問題点である。【０００８】  更にまた、第４の問題点は、前記の如くハリス巻き掛け片１０３は、相互の間隔が相当離れていることから、これに巻き掛けたハリス１０５は各ハリ���巻き掛け片１０３の左右の側部の角にある程度の角度をもって接触しているから、長期間仕掛けを使用しないままにしておくと、ハリス１０５の折れ曲がった部分がそのままの状態になってしまうという問題点である。一旦このようになった場合には真直ぐに戻すことはできず、仕掛けの機能を充分に発揮させることができなくなる。
【発明の概要】
【発明が解決しようとする課題】
【０００９】  本発明は上記の問題点に鑑みなされたものであって、軟質合成樹脂からなる円盤状のハリス巻回体の前面部に、釣りの仕掛けにおける針の針先を刺入して保持することにより、前記従来の釣り用仕掛け巻き具の第１の問題点と第２の問題点を解消すると共に、ハリス巻回体の円周方向の全面に亘って角のない曲面となっている外周面部に、釣りの仕掛けにおけるハリスを巻き回すことにより、ハリスを巻き回すときにおいてハリスの表面を傷つけることがないと共に、長期間保管してもハリスに折れ曲がった癖がつかないようになした釣り用仕掛け巻き具を提供しようとするものである。
【課題を解決するための手段】
【００１０】  而して、本発明の要旨とするところは、針先を刺入可能な軟質合成樹脂からなり、外周面部に釣りの仕掛けにおけるハリスを巻回するに足りる厚みを有すると共に、前面部を後面部より径大としてテーパー形状となした円盤状のハリス巻回体と、硬質合成樹脂からなり、前面部中央に、前記ハリス巻回体の後面部を接着した円板状の摘み体とからなり、前記摘み体に、前記ハリス巻回体の後面部の輪郭に沿って等間隔に、夫々が前記ハリス巻回体の外周面部に密着すると共に、先端部が前記ハリス巻回体の前面部より突出する切り起こし片を設け、更に、前記摘み体及び／又は摘み体における切り起こし片に、前記ハリス巻回体に巻回したハリスの後端を挟み込んで保持するためのハリス後端保持手段を設けてなることを特徴とする釣り用仕掛け巻き具にある。【００１１】  また、上記構成において、ハリス巻回体としては発泡ポリエチレンからなるものが好ましい。【００１２】  また、上記構成において、ハリス後端保持手段として、前記摘み体における前記各切り起こし片の間に設けた、ハリスの後端を摘み体の前面部から後面部に潜り抜けさせる穴の縁に設けた切込みとしてもよい。【００１３】  また、上記構成において、ハリス後端保持手段として、前記切り起こし片における前記ハリス巻回体の前面部よりも先端部寄り側に設けた、Ｕ字状の切込みによって形成した挟持片としてもよい。【００１４】  また、上記構成において、ハリス後端保持手段として、前記切り起こし片における先端部に設けた切込みとしてもよい。
【発明の効果】
【００１５】  本発明は上記の如き構成であり、軟質合成樹脂からなる円盤状のハリス巻回体の前面部に、釣りの仕掛けにおける針の針先を刺入して保持することにより、前記従来の釣り用仕掛け巻き具の第１の問題点と第２の問題点を解消することができるものである。【００１６】  即ち、釣りの仕掛けにおける針の針先は、ハリス巻回体の前面部に刺入して保持されるから、仕掛けの扱い中に人や物を刺す虞がなく、また、針先が硬いものに接触して折れ曲がったり、折れたりする虞もなく、更にまた、釣り用仕掛け巻き具をいくつも重ね合わせた状態で携行するときにおいても、一方側の釣り用仕掛け巻き具に巻いた仕掛けの針が隣の他方側の釣り用仕掛け巻き具に巻いた仕掛けに引っ掛かる虞もなくなるものである。【００１７】  また、釣りの仕掛けが枝針の場合、即ち、先端に先針を結着したハリス本線に枝ハリスを介して枝針をつける仕掛けの場合において、先針と同様に枝針もハリス巻回体の前面部に刺入して保持することができ、且つまた、枝針はハリス巻回体の前面部においてどの位置に刺入してもよいから、枝ハリスが弛むことなくピンと張った状態において保持しておくことができるものである。したがって、枝針が従来の釣り用仕掛け巻き具におけるが如くブラブラすることがないものである。【００１８】  また、釣りの仕掛けにおけるハリスは、円盤状で、円周方向の全面に亘って角のない曲面となっているハリス巻回体の外周面部に巻き回すものであるから、釣りの仕掛けにおけるハリスを巻き回すときにおいてハリスの表面を傷つけることがないと共に、長期間保管してもハリスに折れ曲がった癖がつかないようにすることができるものである。
【図面の簡単な説明】
【００１９】
【図１】本発明の第１実施形態に係る釣り用仕掛け巻き具の斜視図である。
【図２】同正面図である。
【図３】同背面図である。
【図４】同底面図である。
【図５】図２中Ａ−Ａ切断部端面図である。
【図６】図２中Ｂ−Ｂ切断部端面図である。
【図７】本発明の第１実施形態に係る釣り用仕掛け巻き具の使用方法の説明図であり、１組の釣りの仕掛けを巻く場合における巻き始めの状態を示すものである。
【図８】同途中まで巻いた状態を示すものである。
【図９】同巻き終わった状態を示すものである。
【図１０】同２組の釣りの仕掛けを巻く場合における１組目の釣りの仕掛けの後端と２組目の釣りの仕掛けの針との連絡状態を示すものである。
【図１１】同枝針が１本の１組の釣りの仕掛けを巻く場合の巻き終わった状態を示すものである。
【図１２】同枝針が１本の２組の釣りの仕掛けを巻く場合の巻き終わった状態を示すものである。
【図１３】図１２に示す状態の斜視図である。
【図１４】本発明の第２実施形態に係る釣り用仕掛け巻き具の斜視図である。
【図１５】同正面図である。
【図１６】同背面図である。
【図１７】同底面図である。
【図１８】図１５中Ｃ−Ｃ切断部端面図である。
【図１９】同使用状態におけるハリス後端保持部分の部分拡大図である。
【図２０】本発明の第３実施形態に係る釣り用仕掛け巻き具の斜視図である。
【図２１】同使用状態におけるハリス後端保持部分の部分拡大図である。
【図２２】従来の釣り用仕掛け巻き具の説明図である。
【発明を実施するための形態】
【００２０】  以下、本発明を実施するための形態について、図面を参照して説明する。
【００２１】  先ず、図１乃至図１３に示す本発明の第１実施形態について説明する。
図中、１は釣り用仕掛け巻き具である。また、該釣り用仕掛け巻き具１は、以下のハリス巻回体と摘み体とからなるものである。
【００２２】  ２は針先を刺入可能な軟質合成樹脂からなり、外周面部２ｃに釣りの仕掛けにおけるハリスを巻回するに足りる厚みｔ（図６）を有すると共に、前面部２ａを後面部２ｂより径大としてテーパー形状となした円盤状のハリス巻回体である。
【００２３】  また、該ハリス巻回体２は、本実施形態においては軟質合成樹脂として発泡ポリエチレンからなるものを用いているが、ハリスを外周面部に巻回するときにおいて食い込まず、且つ針の針先を刺入可能であればその他のものを用いてもよい。
【００２４】  ３は塩化ビニール樹脂等の硬質合成樹脂からなり、前面部３ａ中央に、前記ハリス巻回体２の後面部２ｂを接着した円板状の摘み体である。
【００２５】  また、前記摘み体３には、前記ハリス巻回体２の後面部２ｂの輪郭に沿って等間隔に、夫々が前記ハリス巻回体２の外周面部２ｃに密着すると共に、先端部４ａが前記ハリス巻回体２の前面部２ａより突出する切り起こし片４を設けている。また、該切り起こし片４は、本実施形態においては、摘み体３において前記ハリス巻回体２の後面部２ｂの輪郭線の外側にＵ字状の切込み４´を設け、該輪郭線の位置にて起こして形成している。更に、前記ハリス巻回体２に巻き回したハリスの後端を挟み込んで保持するためのハリス後端保持手段を備えており、該ハリス後端保持手段として、本実施形態においては、前記摘み体３における前記各切り起こし片４の間に設けた、ハリスの後端を摘み体３の前面部３ａから後面部３ｂに潜り抜けさせるための穴５の縁に設けた切込み６をもって構成している。そして、ハリスの後端を保持するときには、図１３に示す如く、ハリスの後端８ｂを該切込み６に挟み込むものである。これによりハリスの後端８ｂはしっかりと保持されることになるものである。尚、外すときには、撚り戻し９を摘まんで引っ張れば容易に行うことができるものである。
【００２６】  尚、前記切り起こし片４は、釣りの仕掛けにおけるハリスを巻き回すときにおいて、巻いたハリスがハリス巻回体２の後面部２ｂの周縁と摘み体３との接着部分に食い込み、その結果として両者の間に挟まれて、ハリスを解くときに、これをスムーズに行うことができなくなることを防ぐためのものである。即ち、図５に示す如く、切り起こし片４は、折れ曲がった基部４ｂが摘み体３に一体的に連続するものであるから、巻いたハリスは該切り起こし片４の基部４ｂに接触して、それ以上内側に巻き込まれることがなく、もってハリスのハリス巻回体２の後面部２ｂの周縁と摘み体３との接着部分への食い込みを防ぐことができるものである。且つまた、該切り起こし片４は、図７に示す如く、ハリス巻回体２の前面部２ａより突出する上端部４ａを、ハリスを巻き始めるときのハリス掛けとしても用いるものであり、これがないとハリス巻回体２に巻くことはできない。
【００２７】  次に、上記実施形態に係る釣り用仕掛け巻き具の使用方法について説明する。
【００２８】  先ず、図７乃至図９に示した１組の釣りの仕掛けを巻く場合について説明する。
先ず、図７に示す如く、釣りの仕掛けにおける針７の針先をハリス巻回体２の前面部２ａに刺入する。次に、該針７を先端８ａに結着したハリス８を延ばして、針７と対角線上に位置する切り起こし片４の先端部４ａに掛ける。そして、両手で摘み体３を摘まんで回転させ、図８に示す如く、ハリス巻回体２の外周面部２ｃにハリス８を巻き回す。そして、ハリス８を、その後端８ｂ近くまで巻いたら、図９に示す如く、該ハリスの後端８ｂを摘み体３に穿設した穴５を潜り抜けさせて該摘み体３の後面部３ｂ側に引き出し、切込み６に挟み込んで固定するものである。尚、図において、９はハリスの後端８ｂに結着した撚り戻しである。そしてまた、釣りの仕掛けを解くときには、前記と逆の手順によって行うものである。
【００２９】  次に、図１０に示した２組の釣りの仕掛けを巻く場合について説明する。
１組目の釣りの仕掛けの巻き方は、前記図７及び図８に示した場合と同様である。そして、２組目の釣りの仕掛けを巻くときには、ハリス８の後端８ｂを、前記図９に示した如く穴５から摘み体３の後面部３側に潜り抜けさないで、図１０に示した如く、切り起こし片４の先端部４ａに掛けてハリス巻回体２の前面部２ａ側に引き出し、その端部に結着した撚り戻し９の輪に、２組目の針７´を掛けて、その針先をハリス巻回体２の前面部２ａに刺入するものである。そして、その後は前記と同様の手順により巻くものである。尚、本実施形態においては２組の釣りの仕掛けを巻く場合について示したが、同様の手順により、これ以上の組数の釣りの仕掛けを巻くことも可能である。
【００３０】  次に、図１１に示した枝針が１本の１組の釣りの仕掛けを巻く場合について説明する。
斯かる場合においては、先針７の針先をハリス巻回体２の前面部２ａに刺入し、ハリス本線８を延ばして切り起こし片４の先端部４ａに掛け、その後ハリス本線８をハリス巻回体２に掛け回すことまでは前記の通りの手順と同様である。そして、枝ハリス８Ａの結着部分に至ったら、該枝ハリス８Ａをハリス本線８と一緒にハリス巻回体２に巻き回す。そして、枝ハリス８Ａの先端近くまで巻き回したら、該枝ハリス８Ａを切り起こし片４の先端部４ａに掛けてハリス巻回体２の前面部２ａ側に引き出し、その先端に結着した枝針７Ａの針先をハリス巻回体２の前面部２ａに刺入する。そして、その後更にハリス本線８のみをハリス巻回体２に巻き回し、最後にハリス本線８の後端を穴５から摘み体３の後面部３ｂ側に引き出し、切込み６に挟み込んで固定するものである。
【００３１】  次に、図１２に示した枝針が１本の２組の釣りの仕掛けを巻く場合について説明する。
斯かる場合には、１組目の釣りの仕掛けをハリス巻回体２に巻くまでの手順は、前記図１１に示した手順と同様である。そして、ハリス本線８の後端８ｂがハリス巻回体２の前面部２ａに引き出されたら、その端部に結着した撚り戻し９の輪に、２組目の釣りの仕掛けにおける先針７を掛けて、その針先をハリス巻回体２の前面部２ａに刺入するものである。そして、その後は前記と同様の手順により巻くものである。また、斯かる場合においては、各枝針を刺入する度に、順に当該枝針の刺入した順番を示す符号１０を表示することが好ましい。尚、この符号の表示は、例えば、小さなシールに数字等を記入し、各シールを順次貼着する等の適宜の手段によって行えばよい。
【００３２】  本実施形態は上記の如くであり、軟質合成樹脂からなる円盤状のハリス巻回体２の前面部２ａに、釣りの仕掛けにおける針の針先を刺入して保持することにより、前記従来の釣り用仕掛け巻き具の第１の問題点と第２の問題点を解消することができるものである。
【００３３】  即ち、釣りの仕掛けにおける針の針先は、ハリス巻回体２の前面部２ａに刺入して保持されるから、仕掛けの扱い中に人や物を刺す虞がなく、また、針先が硬いものに接触して折れ曲がったり、折れたりする虞もなく、更にまた、釣り用仕掛け巻き具をいくつも重ね合わせた状態で携行するときにおいても、一方側の釣り用仕掛け巻き具に巻いた仕掛けの針が隣りの他方側の釣り用仕掛け巻き具に巻いた仕掛けに引っ掛かる虞もなくなるものである。
【００３４】  また、釣りの仕掛けが枝針の場合、即ち、先端に先針を結着したハリス本線に枝ハリスを介して枝針をつける仕掛けの場合において、先針と同様に枝針もハリス巻回体２の前面部２ａに刺入して保持することができ、且つまた、枝針はハリス巻回体２の前面部２ａにおいてどの位置に刺入してもよいから、枝ハリスが弛むことなくピンと張った状態において保持しておくことができるものである。したがって、枝針が従来の釣り用仕掛け巻き具におけるが如くブラブラすることがないものである。
【００３５】    また、釣りの仕掛けにおけるハリスは、円盤状で、円周方向の全面に亘って角のない曲面となっているハリス巻回体２の外周面部２ｃに巻き回すものであるから、釣りの仕掛けにおけるハリスを巻き回すときにおいてハリスの表面を傷つけることがないと共に、長期間保管してもハリスに折れ曲がった癖がつかないようにすることができるものである。
【００３６】  次に、図１４乃至図１９に示した本発明の第２実施形態について説明する。
【００３７】  本実施形態と前記第１実施形態とは、摘み体における切り起こし片の形成の仕方と、ハリス後端保持手段の構成において相違するものである。即ち、前記第１実施形態における切り起こし片４は、摘み体３においてハリス巻回体２の後面部２ｂの輪郭線の外側にＵ字状の切込み４´を設け、該輪郭線の位置にて起こして形成しているのに対して、本実施形態においては、摘み体３においてハリス巻回体２の後面部２ｂの輪郭線の内側にＵ字状の切込み４´を設け、該輪郭線の位置にて起こして形成している点において相違している。
【００３８】  また、ハリス巻回体２に巻き回したハリスの後端を挟んで保持するためのハリス後端保持手段として、前記第１実施形態においては、摘み体３における各切り起こし片４の間に設けた、ハリスの後端を摘み体３の前面部３ａから後面部３ｂに潜り抜けさせるための穴５の縁に設けた切込み６をもって構成しているのに対して、本実施形態においては、切り起こし片４におけるハリス巻回体２の前面部２ａよりも先端部４ａ寄り側に設けた、Ｕ字状の切込み１０´によって形成した挟持片１０をもって構成している点においても相違している。そして、本実施形態においてハリスの後端を保持するときには、図１９に示す如く、挟持片１０を一旦内側から外側に押し出して切り起こし片４との間にハリスの後端８ｂを挟み込むものであり、そして挟み込んだ状態は挟持片１０の弾性復元力によって保持されるものである。これによってハリスの後端８ｂはしっかりと保持されることになるものである。尚、外すときには、撚り戻し９を摘まんで引き上げれば容易に行うことができるものである。また、その他の構成並びに使用方法等は前記第１実施形態と同様であるから、同一の部材には同一の符号を付して詳細な説明は省略する。
【００３９】  次に、図２０乃び図２１に示した本発明の第３実施形態について説明する。
【００４０】  本実施形態と前記第１実施形態とは、摘み体における切り起こし片の形成の仕方と、ハリス後端保持手段の構成において相違するものである。即ち、前記第１実施形態における切り起こし片４は、摘み体３においてハリス巻回体２の後面部２ｂの輪郭線の外側にＵ字状の切込み４´を設け、該輪郭線の位置にて起こして形成しているのに対して、本実施形態においては、前記第２実施形態と同様に、摘み体３においてハリス巻回体２の後面部２ｂの輪郭線の内側にＵ字状の切込み４´（図示せず。）を設け、該輪郭線の位置にて起こして形成している点において相違している。
【００４１】  また、ハリス巻回体２に巻き回したハリスの後端を挟んで保持するためのハリス後端保持手段として、前記第１実施形態においては、摘み体３における各切り起こし片４の間に設けた、ハリスの後端を摘み体３の前面部３ａから後面部３ｂに潜り抜けさせるための穴５の縁に設けた切込み６をもって構成しているのに対して、本実施形態においては、切り起こし片４における先端部４ａに設けた切込み１１をもって構成している点においても相違している。そして、本実施形態においてハリスの後端を保持するときには、図２１に示す如く、ハリスの後端８ｂを切込み１１に上から入れて食い込ませるものである。尚、外すときには、撚り戻し９を摘まんで上に引き上げれば容易に行うことができるものである。また、その他の構成並びに使用方法等は前記第１実施形態と同様であるから、同一の部材には同一の符号を付して詳細な説明は省略する。
【００４２】  また、ハリス後端保持手段として、上記第１実施形態においては摘み体に、また上記第２実施形態と第３実施形態においては切り起こし片に夫々設けているが、図示はしないが、摘み体と切り起こし片の両方に同様のものを設けるようにしてもよいものである。
【符号の説明】
【００４３】  １  釣り用仕掛け巻き具
２  ハリス巻回体
２ａ  ハリス巻回体の前面部
２ｂ  ハリス巻回体の後面部
２ｃ  ハリス巻回体の外周面部
３  摘み体
３ａ  摘み体の前面部
３ｂ  摘み体の後面部
４  切り起こし片
４ａ  切り起こし片の先端部
５  穴
６  切込み
１０  挟持片
１１  切込み
【図１】
2018093847.tif 000003
【図２】
2018093847.tif 000004
【図３】
2018093847.tif 000005
【図４】
2018093847.tif 000006
【図５】
2018093847.tif 000007
【図６】
2018093847.tif 000008
【図７】
2018093847.tif 000009
【図８】
2018093847.tif 000010
【図９】
2018093847.tif 000011
【図１０】
2018093847.tif 000012
【図１１】
2018093847.tif 000013
【図１２】
2018093847.tif 000014
【図１３】
2018093847.tif 000015
【図１４】
2018093847.tif 000016
【図１５】
2018093847.tif 000017
【図１６】
2018093847.tif 000018
【図１７】
2018093847.tif 000019
【図１８】
2018093847.tif 000020
【図１９】
2018093847.tif 000021
【図２０】
2018093847.tif 000022
【図２１】
2018093847.tif 000023
【図２２】
2018093847.tif 000024